Podtech/llm-jp-corpus-v4-ja_patent huggingface dataset:
(57)【要約】      （修正有）【課題】携帯電話画面で、情報の受取、発信をするには、ページの切り替えなどによる機能的制約があるため難しい。それをパソコンなどのように、瞬間的最新の情報を基に判断して、情報発信をすることが出来るようにする。【解決手段】携帯電話の操作画面部を何段かに重ね、通常の通話時などは今までどおりの１画面で使用する。瞬間的な最新情報を基に判断した情報発信をしたい時には、画面１を上部にスライドさせ、画面２を露出させる事で情報発信することが出来る。【選択図】図２
0003124528.tif 000002
【実用新案登録請求の範囲】
【請求項１】
操作画面を、一つの画面の中で分割するのではなく、同時に見られる２つ以上の操作画面を付けた携帯電話
【考案の詳細な説明】
（考案の詳細な説明）
【考案が解決しようとする課題】
【０００１】  携帯電話の用途は通話以外の比重も多いので、画面の重要性は高まるばかりである。パソコンなどで多数の情報を同時に見ながら注文を出すなどの方法は必要不可欠となっており、それらを携帯電話にも求められるようになってきた。しかしパソコンと同じ作業を携帯電話で行おうとしても、画面は小さく、複数の情報を１画面に詰め込んだり、１画面の中を分割したりすれば狭すぎて、逆に利便性が悪くなってしまう。また、ページを変える作業も、パソコンに比べると、多くの操作を要し、効率が悪く、タイミングを失うなどの問題点を有していた。
【０００２】（課題を解決する為の手段）
上記問題を解決する為には、操作画面を複数化することが最良と考えられ、図を使い説明すれば、１と２が操作画面部となっていて、通常の用途では１にある５を見ながら作業を行い、必要に応じ３に沿って１を上にスライドさせることで図２のようになり、５と６を同時に見る事ができる。また、必要により図１の操作画面部を、２段、３段と複数にすることも可能であり、操作画面の開閉方法としては上にスライド、横にスライド、回転スライド、上に開く、横に開く、または図１の４の下部を同様に、多画面化する、などの方法で、操作画面の複数化は可能である。
【考案の効果】
【０００３】  このように、複数の操作画面を同時に見られれば、ページ替え操作時間を省き、情報発信時に瞬間的最新の情報を基に判断した情報発信をすることができる。
【図面の簡単な説明】
【図１】携帯電話を一般的に使う時の斜視図である
【図２】２つの操作画面を同時に見られる状態にした時の斜視図である
【符号の説明】
１  通常使用している操作画面部
２  ２つ目の操作画面部
３  スライド用のガイド溝
４  本体部
５  １の操作画面部にある操作画面
６  ２の操作画面部にある操作画面
【図１】
0003124528.tif 000003
【図２】
0003124528.tif 000004
(57)【要約】      （修正有）【課題】ジグルアーヘッド部分を合成樹脂で成型し、大きさを変えずに重さを変更させる。またウィードガード自体に集魚効果をもたせる。【解決手段】プラスチック等の合成樹脂素材にて射出成型されたヘッド部分２とフック４とヘッド部分に可動できる状態で取り付けられた板状のガード５で構成されるジグルアーであるが、ヘッド部分２成形時に鉛やタングステン等の金属ウエイト３を埋め込み、その数により全体の重さを調整する。ライン結束部６を板状のガード５部分に設けることでウィードガード自体にバイブレーション等の集魚効果をもたせる。【選択図】図１
0003124545.tif 000002
【実用新案登録請求の範囲】
【請求項１】
ジグルアーのヘッド部分を合成樹脂によって成型し、ヘッド部分に内蔵した金属ウエイトの数によりルアーの重さ調整を行うことでヘッドの大きさ変えることなくジグルアーの重さを変更することを特徴としたルアー。
【請求項２】
ジグルアーのヘッド部分に従来のようなブラシガード、ワイヤーガードではなく、金属もしくは合成樹脂、あるいはサーキットボード、カーボン等で成型した板状のガードを可動するように取り付け、その板状のガードにライン結束部を設けることで、障害物を回避させるとともに、早引きの際、板のバイブレーション効果とともに、ジグルアー本体をも動かし集魚効果を上げる。
【考案の詳細な説明】
【技術分野】
【０００１】  本考案は釣りに用いられるルアーに関する。
【背景技術】
【０００２】  従来、この種のルアーはヘッド部分を金属で成型したものであった。また根掛りを防ぐためのガードはブラシガードやワイヤーガードであった。
【考案の開示】
【考案が解決しようとする課題】
【０００３】  従来から存在するジグ（ラバージグ）はヘッド部分が金属で成型されており、ヘッド部分をリアルに表現したり、さまざまな形状する事が困難であり、また重さを変えるにはヘッド部分の大きさを変えなければならない。また、ガードはブラシもしくはワーヤーで構成されており、それ自体の集魚効果は望めない。
【課題を解決するための手段】
【０００４】  本考案はジグルアーヘッド部分を合成樹脂で成型することにより、ジグをリアルに表現すると同時に、ヘッド部分合成樹脂内部に鉛やタングステン等の金属のウエイトを埋込み、その数により、ヘッド部分の形状大きさを変更する事なく、ジグの重さを変える事で問題を解決している。また、ウィードガードを金属もしくは合成樹脂、あるいはサーキットボード、カーボン等を板状に加工したものにし、さらにそのガードを可動するように取り付け、障害物を回避させるとともに、早引きの際、板のバイブレーション効果とともに、ラバージグ本体をも動かし集魚効果を上げることで問題を解決している
【考案の効果】
【０００５】  上述のように本考案のルアーは集魚効果を高めることはもちろん、ヘッド部分の大きさを変えずに重さを調整しているため、重いサイズのジグでも全体が大きくならず使用感が向上する。また、集魚効果には無意味であった、ガードに集魚効果をもたせる事で対象魚に違和感を与えない。
【実施例】
【０００６】  以下、添付図面に従って一実施例を説明する。１はプラスチック等の合成樹脂素材にて射出成型されたヘッド部分２とフック４とヘッド部分に可動できる状態で取り付けられた板状のガード５で構成されるルアー本体の斜視図であるが、ヘッド部分２成形時に鉛やタングステン等の金属ウエイト３を埋め込み、その数により全体の重さを調整する。ライン結束部６は板状のガード５部分に設ける。
【図面の簡単な説明】
【０００７】
【図１】本考案の一実施例を示すジグルアー本体の斜視図である。
【符号の説明】
【０００８】１  ジグルアー本体
２  ジグヘッドを形成する合成樹脂
３  ウエイト
４  フック
５  板状のガード
６  ライン結束部
【図１】
0003124545.tif 000003
【手続補正書】
【提出日】平成18年5月25日(2006.5.25)
【手続補正１】
【補正対象書類名】実用新案登録請求の範囲
【補正対象項目名】全文
【補正方法】変更
【補正の内容】
【実用新案登録請求の範囲】
【請求項１】
魚釣りに用いるジグルアーであって、合成樹脂によって成型され、そこに内蔵された金属ウエイトの数によりルアーの重さ調整を行うヘッド部分と、そのヘッドアイ部分に、金属もしくは合成樹脂、あるいはサーキットボード、カーボン等で成型された板状のガードが、可動する状態で取り付けられた構造を有し、その板状のガードにライン結束部が形成されたジグルアー。
(57)【要約】      （修正有）【課題】初心者やハンデキャップを持つ人達などに易しく使える箸として、一体成型に適したデザインがなされ、箸棹体が捩じれない撓屈動作が行えて、食べ物を確実に挟持できる、連結した箸を提供する。【解決手段】握り部近傍に矩形断面をなしかつ弾性力を有する連結体をもって一対の箸を構成させること、食べ物の挟持部に突起を設け、人指が握る近傍に筋目などをデザインする。【選択図】図１
0003124547.tif 000002
【実用新案登録請求の範囲】
【請求項１】
一対の箸が一体で成型され、食べ物を挟む箸先端の内側を平面で相対向させ、握り部近傍に連結体が設けられた箸の構造において、連結体は矩形状の断面をなしかつ弾性力を有し、自然時は箸が開いた状態を保持し、人指からの圧力を受けて撓屈させられたとき、箸棹体が捩じれない役目と、先端部を正確に合わせる機能を有する、連結した箸。
【請求項２】
握り部近傍には筋目模様などがデザインされ、人指に易しく握れることと、滑り止め効果を考慮した、請求項１に記載の連結した箸。
【請求項３】
食べ物を挟持する箸先端の平面部には複数の突起が設けられ、挟持物を堅持する機能を有する、請求項１および請求項２に記載の連結した箸。
【考案の詳細な説明】
【技術分野】
【００１】本発明は、シンプル構造からなる一対の箸棹体において、その連結体を支点としたシーソー動作と相まって、先端部を正確に合わせ、その弾性力によって原点復帰する機能を有するもので、これが樹脂材料で一体成型される技術に関するものである。
【背景技術】
【００２】箸に不慣れな人や指力の衰えた人達にとって、それらを助勢してくれる機能を備えた箸が切望されている。一般にこの種の商品は、そのような消費者のニーズに応えた利便性や美的デザイン、価格がポイントであり、これらに対応できる創造技術が求められている。
【考案の開示】
【考案が解決しようとする課題】
【００３】一体成型に適したデザインがなされ、箸棹体が捩じれない撓屈動作を行ない、食べ物を確実に挟持できること、および握り易い箸を創造することである。
【課題を解決するための手段】
【００４】握り部近傍に矩形断面をなしかつ弾性力を有する連結体をもって一対の箸棹体を構成させること、食べ物の挟持部に突起を設け、人指が握る近傍に筋目などをデザインすることで実現できる。
【考案の効果】
【００５】一般の健常者はもちろん、箸を充分に握ることのできない初心者やハンデキャップを持つ人達および高齢者、更には外国の人達に対して、易しく使える箸、正しい持ち方を修得できる箸を提供できる。また、一体構造とその製法は、廉価な箸を供給するのに有用である。更には、多様なカラー付けや模様デザインを施すことによって商品を多様化して箸への興味を高め、豊かな食文化を助勢する。
【考案を実施するための最良の形態】
【００６】要求される機能を満足させたシンプル構造とすることが本発明を実現できる大きなポイントである。これに多彩色を使った商品多様化を図り、廉価で高品質な、また量産性を考慮すれば、プラスチック材料を用いた成型法の採用が最良である。
【実施例】
【００７】図１は連結した箸の例を、図２は内側から見た突起の例を、それぞれ説明したものである。【００８】図１連結した箸は、▲１▼箸棹体ａ、▲２▼箸棹体ｂ、▲３▼連結体、▲４▼突起、▲５▼握り部および▲６▼平面部などから構成されている。
▲１▼箸棹体ａおよび▲２▼箸棹体ｂは、▲７▼端部から▲８▼先端部に向かって円錐または角錐形状でデザインされ、▲８▼先端部の近傍で内側が平面にカットされ、▲６▼平面部が作られている。これらの形状・大きさ・意匠などは、自由にデザインできる。【００９】▲３▼連結体は、▲１▼箸棹体ａおよび▲２▼箸棹体ｂとを結合させ、本発明で言う一対の箸の一体化を実現している。その合体部分は▲１▼箸棹体ａおよび▲２▼箸棹体ｂに結合する部分とおよそ同じ幅寸法と、必要な弾性力を発生させる厚さを持つ▲９▼矩形断面を成している。自然状態では箸が開いた状態を保持している。また内側に湾曲した構造となっている。
▲３▼連結体は、次のような幾つかの役目を担っている。その１は、人指の力によって▲３▼連結体に撓屈を起こさせ、この部分を支点として▲１▼箸棹体ａおよび▲２▼箸棹体ｂにシーソー運動を発生させて▲８▼先端部の開閉を行わせる。外力が除かれた際には原点復帰となる。その２は、▲８▼先端部を正確に合わせる条件として、▲１▼箸棹体ａおよび▲２▼箸棹体ｂに捩じれや左右への振れを起こさせないことであり、このためこれらに強い▲９▼矩形断面の形状をなしている。その３は、使用者の指力にバランスする最適な弾性力を持たせることである。このためには、材料の曲げ弾性率を加味した▲９▼矩形断面の厚さ寸法を可変すれば最適化できる。その４は、箸の自然状態の維持と撓屈動作を安定させるために、適宜な曲率を持たせた湾曲形状が有効である。
これらによって、請求項１記載の一体構造を実現し、捩じれを起こさない機能と、箸の自在な曲動を可能としている。【０１０】請求項２に記載のように、▲５▼握り部近傍に種々な模様付けを行うことができる。これによって、握り易さや滑り止め効果を図っている。図１連結した箸ではその１例として竹櫛模様をデザインしている。【０１１】請求項３に記載のごとく、食べ物を挟む部分には食べ物を確実に挟持させるための突起を設けることが賢明である。図２はその一例を説明したもので、▲１▼箸棹体ａおよび▲２▼箸棹体ｂの▲６▼平面部相互に千鳥配列された▲４▼突起がつけられている。
【産業上の利用可能性】
【０１２】本発明は、単に箸としての利用に留まらず、例えばその大きさや材料の選択によっては化学薬品や危険物などの挟み器具として、または一般に利用されているピンセットの代替として利用できるなど、より巾広い分野に応用できる。
【図面の簡単な説明】
【０１３】
【図１】連結した箸の例
【図２】内側から見た突起の例
【符号の説明】
【０１４】▲１▼箸棹体ａ
▲２▼箸棹体ｂ
▲３▼連結体
▲４▼突起
▲５▼握り部
▲６▼平面部
▲７▼端部
▲８▼先端部
▲９▼矩形断面
【図１】
0003124547.tif 000003
【図２】
0003124547.tif 000004
(57)【要約】【課題】水上オートバイ等の運搬用の小型トレーラーのカプラーハンドルの連結切離し時の腰部の負担軽減とコネクターを簡便にトレーラーに保持させる為の考案。【解決手段】ハンドル握り部分の高さを従来品の二倍の高さにし、コネクターホルダー部を従来の引っ掛け式から挿し込み式に変更し、それらの二つの機能を併せ持った構造にする事により課題を解決する。【選択図】図１
0003124549.tif 000002
【実用新案登録請求の範囲】
【請求項１】
水上オートバイ等の小型トレーラーの連結カプラー部分に取り付けるハンドルの高さを従来より高くする事により腰部への負担を軽減し、そのハンドル中間点にトレーラーの電源供給用のコネクターを保持出来る様にし一つの装置に二つの機能を持たせる事を特徴とした連結切離し補助ハンドル装置。
【考案の詳細な説明】
【技術分野】本考案は水上オートバイ運搬等の小型トレーラーの連結カプラー部分に装着する連結切離し補助装置に関する。
【背景技術】従来はカプラーハンドルはハンドルの高さが概ね７ｃｍ程度である為に、連結切離し時に腰を屈める必要があり具合が余り良くない。又、コネクターホルダーもコネクター端部の穴をフック状の物に引っ掛ける物はあるが、フック及びコネクター端部の穴が小型であり簡便さに欠ける。
【考案の開示】
【考案が解決しようとする課題】連結切離し時に従来と比較して腰を屈める割合を低減する事。
コネクターホルダーを従来より簡単に保持出来る様にする事。
【課題を解決する為の手段】
ハンドルの握り部分の高さを従来のおおよそ倍の高さにする。
コネクターホルダーを従来の引っ掛け式でなく、円筒形パイプ形状の物に挿す挿し込み式にする。
【考案の効果】
従来よりもハンドル握り部分の高さが高いので腰を屈める割合が軽減できる。
コネクターホルダー端部の小さい穴にフックを引っ掛ける事に比較し作業が十分な大きさの穴に挿す挿し込み式にする為作業が簡便になり、トレーラー本体の移動時の振動でもコネクターホルダーからコネクターが脱落する事を軽減できる。
【図面の簡単な説明】
【図１】カプラーハンドルを右正面から見た図
【図２】カプラーハンドルを後方から見た図
【符号の説明】
［１］  ハンドル本体
［２］  握り部分
［３］  トレーラー固定用ボルト穴
［４］  コネクターホルダー部分
［５］  溶接箇所
［６］  トレーラー固定部分
【図１】
0003124549.tif 000003
【図２】
0003124549.tif 000004
(57)【要約】      （修正有）【課題】ゴルフのプレイ時、クラブのヘッドカバーを外した時の取り扱いについて、従来は、キャディに預けたり、地面に置いたりして、キャディの負担の増加、ヘッドカバーの紛失や汚れ及び、拾い上げる時の次打者との接触事故等不便かつ危険であった。【解決手段】保持用フック又は、保持用札を取り付けたヘッドカバーにより、ヘッドカバーを外した時も、簡単に後部ポケット等に差込んでプレイでき、安全で迅速な進行により、快適なゴルフプレイが促進される。【選択図】図１
0003124548.tif 000002
【実用新案登録請求の範囲】
【請求項１】
保持用フックの付いた、ゴルフクラブのヘッドカバー。
【請求項２】
保持用札の付いた、ゴルフクラブのヘッドカバー。
【考案の詳細な説明】
【技術分野】
【０００１】本考案は、ゴルフクラブのヘッドカバーの保持機能に関する。
【背景技術】
【０００２】従来ゴルフクラブの使用時、そのヘッドカバーを外した時、同伴者（キャディ）に持ってもらったり、地面に置いていた。
【考案の開示】
【考案が解決しようとする課題】
【０００３】しかしこれでは、不便なうえ、同伴者（キャディ）への負担、紛失、汚れ、及び拾い上げる時、次打者との接触事故等の原因となっている。
【課題を解決する為の手段】
【０００４】そこで、保持用差込式フック又は、保持用札を取り付けた、ヘッドカバーを考案した（図１、図２）。このヘッドカバーによりクラブ使用時も、ヘッドカバーを後部ポケット等に差込み保持したままプレイができる。
【考案の効果】
【０００５】よって、本考案のヘッドカバーにより、
・地面からヘッドカバーを拾い上げる時に起こり易い、次打者との接触事故の防止。
・同伴者（キャディ）への負担の軽減。
・ヘッドカバーの紛失防止。
・ヘッドカバーの汚れ防止。
等、ヘッドカバー取り扱いの簡素化により、安全で迅速なゴルフプレイの進行が促進される。
【考案を実施する為の最良の形態】
【０００６】本考案に係る保持機能付ヘッドカバーは、図１、図２に示すように保持用フック（図１▲ａ▼▲ｂ▼）又は保持用札（図２▲あ▼▲い▼）を備えており、図１、図２で示すように、フック又は、札をポケットに差込み易く、かつ、落下しない程度のフックの長さ▲Ａ▼と、開き角度▲Ｂ▼及び札の大きさ▲ア▼▲イ▼と接合ひもの長さ▲ウ▼を要する。
【図面の簡単な説明】
【０００７】
【図１】本考案に係る保持用差込フック付ヘッドカバーの図である。（保持用機能付ヘッドカバーの状態▲ａ▼、ゴルフプレイ時の状態▲ｂ▼）
【図２】本考案に係る保持用札付ヘッドカバーの図である。（保持機能付ヘッドカバーの状態▲あ▼、ゴルフプレイ時の状態▲い▼）
【符号の説明】
【０００８】▲Ａ▼    フックの長さ
▲Ｂ▼    フックの開き角度
▲ア▼    保持札の長さ
▲イ▼    保持札の幅
▲ウ▼    接合ひもの長さ
【図１】
0003124548.tif 000003
【図２】
0003124548.tif 000004
0003124548.tif 000005
(57)【要約】      （修正有）【課題】顔面の凸凹部との隙間から花粉等の異物の進入を防ぐ効果を高めると共に、鼻及び口の呼吸、会話が容易となり、吐く息による眼前の曇りを防止し、視界を良好にし、フィルターのみを交換することで経済性を高める。【解決手段】適度な硬さと厚さを有する透明な合成樹脂材を、眼・鼻・口を覆う範囲でお面形に一体成型し、そのお面形の鼻下と上唇の間の部分に仕切りを設け、お面形の縁と仕切りが顔面に接触する部分には、弾力性の軟質のシートを接合して、顔面の凹凸部分に生じる隙間を覆い、鼻と口元部分に呼吸用の孔を設けその部分にフィルターを貼り付けて、従来の布製マスクとゴーグルの役目をひとつにする。【選択図】図１
0003124550.tif 000002
【実用新案登録請求の範囲】
【請求項１】
適度な硬さと厚さを有する透明な合成樹脂材を、眼・鼻・口を覆う範囲でお面形に一体成型し、そのお面形の鼻下と上唇の間の部分に仕切りを設け、お面形の縁と仕切りが顔面に接触する部分には、弾力性の軟質シートを接合して、顔面の凹凸部分に生じる隙間を覆い、鼻と口元に当る部分には呼吸用の孔をあけ、その部分にフィルターを脱着・交換できるようにして、全体を紐によって顔面に装着させるお面形衛生マスクである。
【考案の詳細な説明】
【技術分野】
【０００１】  本考案は、お面形衛生マスクの使用に関する。
【背景技術】
【０００２】  国民病ともいわれる花粉によるアレルギー発症は、多くの人々にとって苦しみを伴い、その予防として衛生マスクの使用は欠かせない。しかし、従来の衛生マスクは鼻及び口の呼吸用であって、眼への花粉の侵入によるかゆみを防ぐことはできない。このことは、医療の現場においても同様で、眼への細菌、体液、血液などの進入を防ぐためには、別にゴーグルの装着が必要となる。
【考案の開示】
【考案が解決しようとする課題】
【０００３】  現在使用されている衛生マスクは、鼻及び口の呼吸用であって、装着した場合に口元に接するなどして呼吸や会話がしづらい。又、眼への花粉、細菌、体液、血液などの侵入を防ぐためには別にゴーグルを装着しなければならないが、ゴーグルには空気孔が設けられていて、花粉等の進入を完全に防止することはできない。又、ゴーグルの装着は視界が妨げられる等の違和感もあって普及が進んでいるとはいえない。
【課題を解決するための手段】
【０００４】  そこで、適度な硬さと厚さを有する透明な合成樹脂材を、眼・鼻・口を覆う範囲で立体的なお面形に一体成型し、口から吐く息による眼前の曇りを防止するために鼻下と上唇の間に仕切りを設け、お面形の縁と仕切りが顔面に接触する部分には、弾力性の軟質シートを接合して、顔面の凹凸部分に生じる隙間を覆い、鼻と口元部分には呼吸用の孔を設け、この部分にフィルター（衛生マスク）を脱着・交換できるようにし、掛け紐で顔面に装着できるようにした、従来の衛生マスクとゴーグルを一体化したお面形衛生マスクである。
【考案の効果】
【０００５】  よって、本考案のお面形衛生マスクは、顔面の凹凸部との隙間から花粉等の異物の進入を防ぐ効果を高めると共に、鼻及び口の呼吸、会話が容易となり、吐く息による眼前の曇りを防止し、視界も良好となり（オートバイのヘルメットと同じ効果）、フィルターのみを交換することで経済性も高くなる。
【考案を実施するための最良の形態】
【０００６】  本考案に係わるお面形衛生マスクは、図１に示すように、適度な硬度と厚さを有する透明な合成樹脂材を、顔面の形状に合わせたお面形１に一体成型し、鼻下と上唇の間の部分に仕切り２を設け、お面形の縁と仕切りには顔面の凹凸部分に生じる隙間を覆う弾力性の軟質シート３を接合し、鼻と口元の部分には呼吸用孔４を設け、この部分に脱着・取替えできるフィルター５を貼り付けて、取り付け紐６で顔面に装着することができる、従来の布製マスクとゴーグルの役目をひとつにしたお面形衛生マスクである。
【図面の簡単な説明】
【０００７】
【図１】  本考案に係わるお面形衛生マスクを、顔面に装着した状態の正面図である。
【図２】  本考案に係わるお面形衛生マスクを、顔面に装着した状態の側面図である。
【符号の説明】
【０００８】    １      お面形
２      仕切り
３      軟質シート
４      呼吸用孔
５      フィルター
６      取り付け紐
【図１】
0003124550.tif 000003
【図２】
0003124550.tif 000004
(57)【要約】      （修正有）【課題】手足に付着した菌を殺菌する衛生的な手足温浴装置の提供。【解決手段】手の浴槽１、足の浴槽２、循環ポンプ６、フィルター３、貯湯タンク４、ヒーター５、オゾン発生装置７をそれぞれ配置してヒーターで４０℃に温めたお湯を循環ポンプで上にある手の浴槽に送ります。手の浴槽から配管を通って下の足の浴槽に降りてきたお湯をフィルターを通して、貯湯タンクで温めて、また手の浴槽に送ります。このお湯の循環系とは別にオゾン発生装置を設けます。オゾン発生装置からでたオゾンガスを配管で手と足の浴槽にそれぞれ送ります。【選択図】図１
0003124515.tif 000002
【実用新案登録請求の範囲】
【請求項１】
有機ゲルマニュウム溶解液の手足温浴槽にオゾンガスをジェット噴射し殺菌効果と消臭効果を伴わせ衛生的に手足温浴する装置
【考案の詳細な説明】
【技術分野】
【０００１】オゾン殺菌方式による有機ゲルマニュウム手足温浴装置
【背景技術】
【０００２】
【非特許文献１】  （株）アイ電子工業  Ｑｕｉｃｋ  Ｏｚｏｎｅ  ３０  カタログ
【非特許文献２】  （有）健康サロンＨａｎａ  カタログ
【考案の開示】
【考案が解決しようとする課題】
【０００３】ゲルマニュウム手足温浴装置にたいする不特定多数の人達による利用を考えるときに、その衛生管理は極めて重要なことであります。手足に付着する細菌を殺菌し衛生的に手足温浴効果を上げる。感染力の強い有害な病原菌の殺菌は必須であります。従来の殺菌方式は塩素、消毒剤、殺菌灯を用いたものであります。塩素は人体に副作用があり最近の世相としては使用しにくい、消毒剤は地球環境汚染につながり、殺菌灯はお湯の中での殺菌力が低いなど問題をかかえています。手足の細菌、並びに装置内部における細菌をどのような手段で殺菌して衛生的なゲルマニュウム手足温浴装置の管理運営を行うかが解決しようとする課題です。
【課題を解決するための手段】
【０００４】オゾン発生装置を備えオゾンガスを配管で手と足の水槽にそれぞれ接続しオゾンガスをお湯の中にジェット噴射することによって細菌を殺菌し衛生環境を整えます。
【考案の効果】
【０００５】オゾンガスを水槽にジェット噴射することによって殺菌及び消臭効果が得られます２０日間で不特定多数の人６０人に一人当たり２０分間手足温浴、その後のお湯の千葉県薬剤師検査センターの大腸菌の検査結果は１００ｍｌ中１ｍｐｎ、１未満でしたオゾンガスジェット噴射によって発生した微細な気泡炸裂時の超音波と温かいお湯の水流、並びに流水音によるマッサージ効果と精神的癒し効果が得られる。
【考案を実施するための最良の形態】
【０００６】浴槽はオゾンに強いステンレスを使用し手の浴槽は床から５７０位が浴槽の底板になるように架台によって支えられ、足の浴槽は浴槽を支える架台の上に置く。図１のように手と足の浴槽の前面は同じ出とする。この位置は一般的な大人の身長１５０ｃｍ〜１７０ｃｍの人が椅子に座って足を下の浴槽に入れ、手は肘までお湯につけるのに最適な寸法です。手を肘までお湯につけるのは温浴による発汗作用をより促すために是非とりたい姿勢です。手の浴槽の装置中央は、どうしても上体が前かがみになるため、頭部を装置中央において安楽な姿勢で温浴を楽しんでいただくための部分です。配管はステンレスか耐熱塩ビを使用し上にある手の浴槽と下にある足の浴槽、循環ポンプ、フィルター、ヒーター付の貯湯タンクを連結します。貯湯タンクの中には水質浄化のために麦飯石を入れます。お湯の温度は４０℃を標準としサーモスタットでコントロールします。このお湯の循環系とは別にオゾン発生装置を設けます。オゾン発生装置から出たオゾンガスを手の浴槽、及び足の浴槽まで配管で連結します。オゾン発生装置に送風ポンプを設けてオゾン発生時に各水槽にジェット噴射します。室内のオゾン濃度が１ｐｐｍ８時間と定められているため室内は常に換気状態にしておきます。同時にオゾン発生についても１０分に１分間、２０分に１分間、など間隔をおいて適宜作動させる。
【実施例】
【０００７】手の水槽の底板の大きさは巾６００、奥行き２５０、高さ２００とし前面は腕を入れやすくするためにやや前方に傾斜をつけて立ち上げ、上蓋をつける。右左はそれぞれ１５０ずつ手を入れる所とし中央は頭部をのせる所にする。足の水槽の底板の大きさは巾５５０、奥行き３５０、高さ２５０とし足を入れやすくするために前面は手前にやや傾斜をつけて立ち上げ上蓋をする。これらをのせる架台は２５角の角パイプを使用した。お湯のポンプは循環ポンプを使用する。フィルターはメッシュシートを使用し貯湯タンク内には水質浄化のための麦飯石と温度を維持するためのヒーターをとりつける。オゾン発生装置はその発生量が１００ｍｇ／ｈ〜１５０ｍｇ／ｈのものを使用した。オゾン発生のためには送風機が必要になるため、その送風機の風圧でジェット噴射が行える。
【産業上の利用可能性】
【０００８】温浴治療器として病院、治療院で患者さんの症状改善に用いられる。また、健康サロンや一般家庭において体調不良改善のために利用される。
【図面の簡単な説明】
【０００９】
【図１】手の浴槽、足の浴槽、循環ポンプ、フィルター、貯湯タンク、ヒーター、オゾン発生装置、をそれぞれ配置してヒーターで４０℃に温めたお湯を循環ポンプで上にある手の浴槽に送ります。手の浴槽から配管を通って下の足の浴槽に降りてきたお湯をフィルターを通して、貯湯タンクで温めて、また手の浴槽に送ります。このお湯の循環系とは別にオゾン発生装置を設けます。オゾン発生装置からでたオゾンガスを配管で手と足の浴槽にそれぞれ送ります。
【符号の説明】
【００１０】  １手の浴槽    ２足の浴槽    ３フィルター    ４貯湯タンク    ５ヒーター
６循環ポンプ    ７オゾン発生装置    ８お湯の配管    ９オゾンガスの配管
１０架台    １１手の蓋    １２足の蓋
【図１】
0003124515.tif 000003
【図２】
0003124515.tif 000004
【手続補正書】
【提出日】平成17年12月16日(2005.12.16)
【手続補正１】
【補正対象書類名】実用新案登録請求の範囲
【補正対象項目名】全文
【補正方法】変更
【補正の内容】
【実用新案登録請求の範囲】
【請求項１】
手の浴槽、足の浴槽、循環ポンプ、オゾン発生装置、フィルター、貯湯タンク、ヒーター、お湯の配管、オゾンガスの配管、架台、手の浴槽の蓋、足の浴槽の蓋、を有する装置である。
【手続補正２】
【補正対象書類名】明細書
【補正対象項目名】０００９
【補正の内容】
【０００９】
【図１】は本考案の有機ゲルマニュウム手足温浴装置の概略構成である。有機ゲルマニュウムを混入した手の浴槽、及び足の浴槽を備えた有機ゲルマニュウム手足温浴装置において、前記の手の浴槽、及び足の浴槽にオゾン発生装置からオゾンを混入させる手段を設けたことを特徴とする有機ゲルマニュウム手足温浴装置。
【図２】は本考案の有機ゲルマニュウム手足温浴装置の斜視図である。
(57)【要約】      （修正有）【課題】簡単に身体にあてがい、更なる補助支え具の併用もせずに、床ずれ防止と、床ずれ患部の治療の目的を叶える身体支え具の提供。【解決手段】二枚の機密性シ−ト１ａと１ｂを重ね外周を溶着裁断又は裁断接着し、更に必要とする複数の、突起部を構成する部位２ａ，３ａ，２ｂ，３ｂを溶着又は接着し、突起部となる部位一端に、逆止弁付空気注入口５ａ，６ａ，６ｂ，５ｂを設ける。突起部の形成を、複数突起部全てを形成させる方法として、空気充填以外に、一般的シ−ト例えば綿、化繊などで突起部２ａ３ａ，２ｂ，３ｂ、なる部位を袋状に縫製し、綿状又は繊維状、を詰めることも出来る。【選択図】図３
0003124520.tif 000002
【実用新案登録請求の範囲】
【請求項１】
一つの座面に高さが異なり長さも夫々で複数の突起を備えた、身体支え具。
【請求項２】
突起部の形成手段として、気密性シ−ト二枚重ね、外周及び必要とする突起部位置となる部分を溶着裁断又は裁断接着し、突起部となる一端に空気給排気口、又は逆止弁付き空気注入口を備え、空気を充填し突起部を形成した身体支え具。
【請求項３】
突起部形成手段として、樹脂その他成型可能な材料を、一体成型してなる身体支え具。
【請求項４】
一般頒布、シ−トを用い突起部の形成手段として、部分的に複数の袋状に成り得る加工を施し、袋状の中に、突起を形成させる詰め物を、充填した身体支え具。
【考案の詳細な説明】
【考案の詳細な説明】
【０００１】  本考案は、床ずれ防止及び床ずれを保護するとき、身体の体位を変たり，身体の一部分を寝具より浮かす、身体支え具である。その他座具などに背当てとして使用すると、座り姿勢が背筋を真っ直ぐからリクライニング姿勢まで、身体支え具が身体を支え、その時の姿勢を支えるので、リラックスが得られる。
【背景技術】
【０００２】  従来、身体を支える目的の用具として知られている技術、（特開平７−３０３６７５）床ずれ治療用マット、（特開２００２−２９１５８４）床ずれ防止具などが公開されているが、いずれも身体の一部分に、床ずれ発症が予測できる部位、又は床ずれ患部周辺に用具を、あてがい寝具と身体の一部を非接触にすることを目的としている、しかし部分的に接触を避けることができても、当て具のずれや、当て具の違和感がある、故に更なる補助的な当て具が要求されることが避けられないことがある、その要因は基本的に身体に対し当て具の支え面積が少ないことである。
【考案が解決しようとしている課題】
【０００３】  本考案は、以上の従来技術の問題点を解決し、簡単に身体にあてがい、更なる補助支え具の併用もせずに、床ずれ防止と、床ずれ患部の治療の目的を叶えるものである。
【課題を解決するための手段】
【０００４】  身体と寝具の間に、部分隙間を作るための、身体支え具として、本体面積を大きく、身体の上半身を身丈方向に高さの異なる縦長の、突起を複数溝成し、目的に合った部位に突起を形成させ、身体を支える面積も大きくなるので、安定した支え感が得られる、それに加え突起部が形成されない部分に、身体が乗っているので支え具のずれもないので、更なる補助的な当て具も使用する面倒なこともなくなる。
【考案の効果】
【０００５】  従って本考案１の身体支え具によれば、寝具の上に図１のシ−ト状態を置いて、その上に横たわり、必要に応じて所定の部位に空気を充填し、その部位に突起が形成され身体が、持ち上がり寝具と身体の接触部位を変えることが可能なので、床ずれの予防が可能であり、又既に床ずれが発症している人でも、身体を寝具より離脱させ、寝具と患部に隙間をつくり治療に貢献できる。
【０００６】  身体支え具の構造を、一体型とし身体の約半分の、上半身を支える大きさで、身丈方向に複数の高さが異なる突起にて身体を支え、体位を変えても、楽にその状態を継続することができる。
【０００７】  身体支え具の突起部形成は、中心振り分けで左右対称に、高さが異なり長さも夫々で複数有する、一体型の身体支え具であるから、例えば右横向きの姿勢にする時は、左外側に空気を充填し、突起部を形成させると、身体左上半身が寝具より浮かされ、身体は右横向きになる。
【０００８】  この寝姿を変えるにあたり、所定の突起部位に、突起を形成させるのに、空気を充填するが、その空気充填圧を利用すると、介護人の労力省力化にも貢献する。
【０００９】  上記突起部の形成にあたり、電動空気ポンプを用い、左右の突起形成を時間差で、プログラミングし、所定の突起部を交互に有無にすると自動的に、時間差寝返りが行える。
【００１０】  突起部の形成を、複数突起部全てを形成させると、身体上半身が全て寝具より、離脱するので床ずれ患部の治療に、貢献できる。
【００１１】  前記考案の効果は床ずれ予防、床ずれ治療に関することを述べたが、その用途以外にも応用できる、背もたれが備えられた座具、例えばリクライニング付座椅子、又はリクライニング式ベットの、背もたれに身体支え具を背当てとして利用すると、食事時、読書、テレビ観賞など、身体上半身を起こした姿勢を、維持するのに最適である。
【実施例】
【００１２】  この実施例の身体支え具は、図１〜図３に示すように、二枚の機密性シ−ト１ａと１ｂを重ね外周を溶着裁断又は裁断接着し、更に必要とする複数の、突起部を構成する部位２ａ，３ａ，２ｂ，３ｂを溶着又は接着し、突起部となる部位一端に、逆止弁付空気注入口５ａ，６ａ，６ｂ，５ｂを設ける。【００１３】  突起部の形成を、複数突起部全てを形成させる方法として、空気充填以外に、一般的シ−ト例えば綿、化繊などで突起部２ａ３ａ，２ｂ，３ｂ、なる部位を袋状に縫製し、綿状又は繊維状、を詰めることも出来る。【００１４】  前記突起部形成方法として、樹脂などによる発泡成形で一体型成型、又は部分成型品を頒布材などで一体型に構成することも出来る。【００１５】  このように構成された、一体型身体支え具の用途は、床ずれ防止はもとより、床ずれ患部の治療、寝姿支えの他、座り姿勢に背当てとして利用できる。
【図面の簡単な説明】
【００１６】
【図１】実施例の身体支え具を示す、空気充填前の平面図
【図２】実施例の身体支え具を示す、空気充填後の平面図
【図３】実施例の身体支え具を示す、空気充填後の断面図
【符号の説明】
【００１７】１        身体支え具本体
１ａ      気密性シ−ト
１ｂ      気密性シ−ト
１ｃ      溶着部、接着部
２ａ      身体支え部突起  （右外側）
２ｂ      身体支え部突起  （左外側）
３ａ      身体支え部突起  （右内側）
３ｂ      身体支え部突起  （左内側）
４        連結部
５ａ      逆止弁付給気口  （右外側）
５ｂ      逆止弁付給気口  （左外側）
６ａ      逆止弁付給気口  （右内側）
６ｂ      逆止弁付給気口  （左内側）
【図１】
0003124520.tif 000003
【図２】
0003124520.tif 000004
【図３】
0003124520.tif 000005
(57)【要約】【課題】  ワイシャツ着用時の腕まくりで、袖ボタン外し及び袖まくり上げの煩わしさをなくして、袖口を引き上げるだけで腕まくりができるようにする。【解決手段】  ワイシャツの袖口を伸縮性の袖口にした。【選択図】図１
0003124518.tif 000002
【実用新案登録請求の範囲】
【請求項１】
伸縮性袖口のワイシャツ
【考案の詳細な説明】
【考案の詳細な説明】
【考案が解決しようとする課題】
【０００１】    通常、ワイシャツの袖口は、ボタン方式である。  手洗い、水仕事の時及び暑い時に腕まくりをするが、ボタンを外すのが煩わしい。ボタンを外して袖口を引き上げるが、袖口は元の位置に戻る。ボタンを外した袖口をまくり上げるのも煩わしい。ワイシャツを着用する者として、ボタンを外さず袖口を引き上げるだけで腕まくりができないか、という問題を有していた。
【考案が解決するための手段】
【０００２】  袖口が伸縮性の衣類は、多く有あり、引き上げた袖口は元の位置に戻らずに腕まくりができる。  ワイシャツの袖口も伸縮性の袖口にする事で、ボタンを外す煩わしさも解決でき、引き上げた袖口は元の位置に戻らず、腕まくりができる。
【考案の効果】
【０００３】  ワイシャツの袖口を伸縮性の袖口にした事で楽に腕まくりができた。腕まくりした袖口は、元の位置に戻らず腕まくりした状態が継続した。
【図面の簡単な説明】伸縮性袖口にしたワイシャツの図である。
【図１】
0003124518.tif 000003
(57)【要約】      （修正有）【課題】オゾン水をおしぼりタオルに含ませたウエット式のおしぼりタオルであり、さらにフィルムとかビニールとか容器等で包装することにより、数日間オゾン水の抗菌、脱臭の効果を持続させる。【解決手段】  おしぼりタオルは布又は紙を使用して、オゾン水を漬け込みや吹き付けにより、布又は紙の微細な繊維の中に吸収させて、ウエット式のおしぼり１を作り、フィルムとかビニールとか容器等２で密封包装するが、密封包装は一枚単位と複数枚単位があり、用途に応じての提供が可能である。【選択図】図１
0003124588.tif 000002
【実用新案登録請求の範囲】
【請求項１】
オゾン水をおしぼりタオルに含ませることにより、オゾン水の殺菌と脱臭の効果を持つウエット式のおしぼりタオルを作り、フィルムとかビニールとか容器等で包装して、数日間オゾン水の抗菌、脱臭の効果を持続させることにより、機能価値を高めた特徴を持つオゾン水のウエット式おしぼりタオル
【考案の詳細な説明】
【技術分野】
【０００１】  本考案は、オゾン水を含ませたウエット式のおしぼりタオルに関するものである。
【背景技術】
【０００２】  オゾン水にはカビやウイルスに対する抗菌効果及び脱臭などの効果があるが、空気中では、短時間で水と酸素に分解されてしまう。また、ウエット式のおしぼりタオルは、アルコール又はジア塩素酸ソーダ等で消毒殺菌している。
【考案の開示】
【考案が解決しようとする課題】
【０００３】  ウエット式のおしぼりタオルで、使用しているアルコール又はジア塩素酸ソーダ等の消毒剤は、臭いや薬品による人体への影響も発生する可能性がある。従って、安全性の高いオゾン水をおしぼりタオルに含ませることにより、オゾン水の殺菌と脱臭の効果を持つウエット式のおしぼりタオルを作ることができる。
【課題を解決するための手段】
【０００４】  本考案は、オゾン水をおしぼりタオルに含ませたウエット式のおしぼりタオルに関するものである。オゾン水は布又は紙の微細な繊維の中に吸収されるため、蒸発の時間が延長される。さらに、ウエット式おしぼりをフィルムとかビニールとか容器等で包装する。
【考案の効果】
【０００５】  上述のように、本考案の包装されたオゾン水のウエット式おしぼりタオルは、数日間オゾン水の抗菌、脱臭の効果が持続されるとともに、おしぼりとして手や顔などを拭く場合に、アルコールや塩素系薬品を使用していないことで安全性が高くなり抗菌と脱臭の効果もあるので、おしぼりとしての機能が倍加される。
【考案を実施するための最良の形態】
【０００６】  おしぼりタオルは布又は紙を使用して、オゾン水を漬け込みやは吹き付けにより、布又は紙の微細な繊維の中に吸収させて、ウエット式のおしぼりを作る。さらに、ウエット式おしぼりをフィルムとかビニールとか容器等で密封包装する。密封包装は一枚単位と複数枚単位があり、用途に応じての提供が可能である。
【実施例】
【０００７】  以下、添付図面に従って一実施例を説明する。  図１は、オゾン水を吸収させたおしぼりタオルをフィルムとかビニールとか容器等により一枚で密封するものである。  図２は、オゾン水を吸収させたおしぼりタオルをフィルムとかビニールとか容器等により複数枚で密封するものである。【０００８】  おしぼりタオルは布又は紙を使用して、オゾン水を漬け込みやは吹き付けにより、布又は紙の微細な繊維の中に吸収させて、ウエット式のおしぼりを作る。さらに、ウエット式おしぼりをフィルムとかビニールとか容器などで密封包装することにより、オゾン水の効果を持続させる。【０００９】  本考案の一実施例は上述の如き形態からなるものであり、密封包装をあけると、保持されていたオゾン水は空気と反応して、オゾン水の効果が作用するおしぼりとして使用できるが、オゾン水は短時間で分解されて、水と酸素になる。
【図面の簡単な説明】
【００１０】
【図１】は、オゾン水を吸収させたおしぼりタオルをフィルムとかビニールとか容器等により一枚で密封するものである。
【図２】は、オゾン水を吸収させたおしぼりタオルをフィルムとかビニールとか容器等により複数枚で密封するものである。
【符号の説明】
【００１１】  １  オゾン水を吸収させたおしぼりタオル  ２  フィルムとかビニールとか容器等の密封材
【図１】
0003124588.tif 000003
【図２】
0003124588.tif 000004
(57)【要約】      （修正有）【課題】下着の腹部中心だけに他の部分より強く伸縮する糸等の繊維を縫い込む事により腹部中心をしっかり押え、安定感、気分爽快感を得る事が出来る、洋服の上からはスタイルもすっきり見えるお腹すっきり下着を提供する。【解決手段】下着の御臍のすぐ下１０ｃｍ巾位の腹部周囲だけに他の部分より強く伸縮性のある糸等の繊維を縫い込む事を特徴とする。【選択図】図２
0003124584.tif 000002
【実用新案登録請求の範囲】
【請求項１】
下着の腹部全体ではなく、御臍のすぐ下１０ｃｍ巾位の腹部周囲だけに、他の部分より強く伸縮性のある糸等の繊維を縫い込む事により、腹部中心をしっかり押さえる事の出来るお腹すっきり下着。
【考案の詳細な説明】
【考案の詳細な説明】
【技術分野】
【０００１】この考案は、下着の御臍のすぐ下１０ｃｍ巾位の腹部周囲だけに、他の部分より強く伸縮性のある糸等の繊維を縫い込む事により腹部中心をしっかり押さえ、安定感と心地よい気分を得られ又、引き締め効果も期待できる一石二鳥のお腹すっきり下着に関するものである。
【背景技術】
【０００２】従来の下着で、お腹中心部をしっかりと押さえる商品は見た事がない。
【考案が解決しようとする課題】
【０００３】ガードルのようなものは、次のような欠点があった。
（イ）ウエストを含む腹部全体を圧迫するような機能が多く、圧迫感で気分が悪くなったりした。気分爽快にはほど遠かった。
（ロ）腹部全体を圧迫する為に、腹部中心を押える、引き締めるという機能が働かずかえって、お腹がポコンと出っ張ったりした。
本考案は以上のような欠点を失くす為に成されたものである。
【課題を解決するための手段】
【０００４】下着の御臍のすぐ下１０ｃｍ巾位の腹部周囲だけに、他の部分より強く伸縮性のある糸等の繊維を縫い込む事により、お腹全体ではなくお腹中心部だけを押える。
これにより、腹部の安定感、気分爽快感を得られ、洋服の上から見るとスタイルもすっきり見える。
本考案は、以上の構成から成るお腹すっきり下着である。
【考案を実施するための最良の形態】
【０００５】以下、本考案の実施の形態について説明する。
下着の腹部全体ではなく、御臍のすぐ下１０ｃｍ巾位の腹部周囲だけに、他の部分より強く伸縮性のある糸等の繊維を縫い込んだ部分を作る。
本考案は、以上のような構造でこれを使用する時は普通、下着と同じように着用する。単純な構造ではあるが、腹部中心をしっかりと押え安定感、気分爽快感を得られる。しっかりとした押え効果で、洋服の上からはスタイルもすっきり見える。
【考案の効果】
【０００６】お腹の中心部をしっかりと押える為、腹部のすっきり感、安定感、気分爽快感を得られる。引き締め効果もある為、洋服の上から見るとスタイルもすっきりする。
【図面の簡単な説明】
【図１】本考案の平面図である。
【図２】本考案の斜視図である。
【符号の説明】
１：御臍の位置。
２：１０ｃｍ巾位の伸縮性の強い部分。
【図１】
0003124584.tif 000003
【図２】
0003124584.tif 000004
(57)【要約】      （修正有）【課題】錆難く抗菌効果によって人や環境に優しく衛生的で清潔に使用することが出来る包丁用刃身の提供。【解決手段】刃物用鋼板６を中央にしその両側に銅板７を内側そしてステンレス鋼８を外側となるよう重ね合わせて圧延し、刃部４を下方に向けて鋭利とし鋼板６の下側の先端に刃６ａを設けたものである。【選択図】図１
0003124583.tif 000002
【実用新案登録請求の範囲】
【請求項１】
刃部と柄部からなる刃身の柄部に柄を設けた包丁に於いて、刃物用鋼板を中央にしその両側に銅板を内側そして焼きの入らないステンレス鋼を外側となるよう重ね合わせて圧延し、刃部を下方に向けて鋭利とし刃物用鋼板の下側の先端に刃を設けたことを特徴とする包丁用刃身。
【考案の詳細な説明】
【技術分野】
【０００１】  本考案は、日常生活に於いて調理に使用する包丁の刃身に関するものである。
【背景技術】
【０００２】  日常生活の衣食住は人間にとってどれも欠かすことの出来ない必要なものであり、その中で食生活は特に重要なものである。
そして食生活の中で調理に用いる包丁は、工夫や改善によって錆びを防ぎ切れ味を保ちながら使い易くなってきている。
【考案の開示】
【考案が解決しようとする課題】
【０００３】  このように錆を防ぎ切れ味を保つように改善されているが、切れ味が良いと錆が生じやすく又錆を防ぐと切れ味がいま一歩と云った状態のため包丁の刃身としては未だ十分とは云えず包丁を使用する上に於いて非常に不都合を感じていた。
【課題を解決するための手段】
【０００４】  本考案は、このような不都合を解消すると共に、抗菌性によって人や環境に優しく清潔に使用することが出来る包丁用刃身を提供せんとするものである。【０００５】  刃部と柄部からなる刃身の柄部に柄を設けた包丁に於いて、刃物用鋼板を中央にしその両側に銅板を内側そして焼きの入らないステンレス鋼を外側となるよう重ね合わせて圧延し、刃部を下方に向けて鋭利とし刃物用鋼板の下側の先端に刃を設けて刃身としたものである。  尚、銅板とステンレス鋼の重ね合わせる枚数は一般的な家庭用では５枚としているが、包丁の種類よって必要に応じて増減する。【０００６】  使用に当っては刃身に柄を設けて包丁とし、従来と同じように用いれば良い。
このようにした刃身を用いて調理すると、重ね合わせて設けている銅版が鋭利とした刃部表面に帯状の黄金色の模様となって現れると共に、銅版の抗菌性（厚生労働省の指定検査機関による検査結果で実証されている）によって使用中は勿論使い終って収納中も抗菌効果を発揮し、刃部表面及び柄部に於ける菌の増殖を阻止し常に衛生的に保つことが出来るため、包丁を清潔な状態に保ちながら気持ち良く快適な気分で使用することが出来る。
尚、刃身の柄部と柄の固定は、柄部を柄に差し込んでも良いし、又は柄部に柄を数箇所で鋲などの締結具でかしめにて固定しても良いし、或は止めねじと螺穴によって柄部の着脱を可能となるよう設けても良い。
【考案の効果】
【０００７】  本考案の請求項１に於いては、重ね合わせて設けている銅版の抗菌性によって、使用中は勿論使い終って収納中も抗菌効果を発揮し、刃部表面及び柄部に於ける菌の増殖を阻止し常に衛生的に保つことが出来ると共に、刃部を鋭利としたことによって銅版が鋭利とした刃部表面に帯状の黄金色の模様となって現れ今迄と違った雰囲気を醸し出すことによって、包丁を清潔な状態に保ちながら気持ち良く快適な気分で楽しく使用することが出来る。
このように多くの効果があると共にその応用範囲も広く実用上非常に優れた考案である。
【考案を実施するための最良の形態】
【０００８】  刃部と柄部からなる刃身の柄部に柄を設けた包丁に於いて、刃物用鋼板を中央にしその両側に銅板を内側そして焼きの入らないステンレス鋼を外側となるよう重ね合わせて圧延し、刃部を下方に向けて鋭利とし刃物用鋼板の下側の先端に刃を設けて刃身としたものである。
【実施例１】
【０００９】  図中１は刃身２と柄３とからなる包丁全体を示し、２は刃部４と柄部５からなる刃身であって、刃物用鋼板６を中央にしその両側に銅板７を内側（刃物用鋼板６側）そして焼きの入らないステンレス鋼８を外側となるようそれぞれ５枚を重ね合わせて圧延し、刃部４を下方に向けて鋭利とし刃物用鋼板６の下側の先端に刃６ａを設けている。
３は柄であって、柄部５に設けて包丁１を形成している。【００１０】  使用に当っては包丁１を従来と同じように用いれば良い。
このようにした刃身２を用いて調理すると、重ね合わせて設けている銅版７が鋭利とした刃部４表面に帯状の黄金色の模様となって現れると共に、銅版７の抗菌性によって使用中は勿論使い終って収納中も抗菌効果を発揮し、刃部４表面及び柄部５に於ける菌の増殖を阻止し常に衛生的に保つことが出来るため、包丁１を用いて気持ち良く快適な気分で調理することが出来る。
【産業上の利用可能性】
【００１１】  包丁のみならず産業界の刃物類に利用することが出来る。
【図面の簡単な説明】
【００１２】
【図１】実施例１の一部を破断した正面図
【図２】図１の一部を省略したＡ−Ａ拡大断面図
【符号の説明】
【００１３】１    包丁
２    刃身
３    柄
４    刃部
５    柄部
６    刃物用鋼板
６ａ  刃
７    銅板
８    ステンレス鋼
【図１】
0003124583.tif 000003
【図２】
0003124583.tif 000004